(57)【特許請求の範囲】
【請求項１】
複数のユーザが所属し、情報共有の単位となるテーマについて、複数のテーマに関する情報を記憶するテーマ記憶部と、
ユーザから登録された情報であって、前記複数のテーマのうち少なくとも１つのテーマに関連付けられた情報である登録情報を記憶する登録情報記憶部と、
登録情報の閲覧を要求したユーザに対して、前記登録情報記憶部に記憶された複数の登録情報のうち当該ユーザが所属するテーマに関連付けられた登録情報を提供する情報提供部と、
第１のテーマに関連付けられた登録情報を閲覧するユーザが、前記第１のテーマに加えて第２のテーマにも所属する場合、当該ユーザの操作に応じて、閲覧対象の登録情報を前記第２のテーマにも関連付ける更新部と、
を備えることを特徴とする情報処理装置。
【請求項２】
前記情報提供部は、特定のテーマを指定した閲覧要求をユーザから受け付けた場合、前記特定のテーマに関連付けられた登録情報を示す第１のリストを提供し、特定のテーマを指定しない閲覧要求をユーザから受け付けた場合、ユーザが所属する１つ以上のテーマに関連付けられた登録情報を示す第２のリストを提供することを特徴とする請求項１に記載の情報処理装置。
【請求項３】
前記情報提供部は、前記第１のリストにおいて特定の登録情報が選択された場合、および、前記第２のリストにおいて特定の登録情報が選択された場合、選択された登録情報の詳細画面をユーザに提供し、
前記詳細画面は、前記選択された登録情報が関連付けられたテーマを含み、当該登録情報のテーマを編集する操作を受け付け可能に構成されたことを特徴とする請求項２に記載の情報処理装置。
【請求項４】
前記情報提供部は、ユーザがあるテーマに新たに所属した場合、そのテーマに関連付けられた過去の登録情報をユーザに提供することを特徴とする請求項１から３のいずれかに記載の情報処理装置。
【請求項５】
複数のユーザが所属し、情報共有の単位となるテーマについて、複数のテーマに関する情報を記憶するテーマ記憶部と、ユーザから登録された情報であって、前記複数のテーマのうち少なくとも１つのテーマに関連付けられた情報である登録情報を記憶する登録情報記憶部とを備えるコンピュータが、
登録情報の閲覧を要求したユーザに対して、前記登録情報記憶部に記憶された複数の登録情報のうち当該ユーザが所属するテーマに関連付けられた登録情報を提供するステップと、
第１のテーマに関連付けられた登録情報を閲覧するユーザが、前記第１のテーマに加えて第２のテーマにも所属する場合、当該ユーザの操作に応じて、閲覧対象の登録情報を前記第２のテーマにも関連付けるステップと、
を実行することを特徴とする情報処理方法。
【請求項６】
複数のユーザが所属し、情報共有の単位となるテーマについて、複数のテーマに関する情報を記憶するテーマ記憶部と、ユーザから登録された情報であって、前記複数のテーマのうち少なくとも１つのテーマに関連付けられた情報である登録情報を記憶する登録情報記憶部とを備えるコンピュータに、
登録情報の閲覧を要求したユーザに対して、前記登録情報記憶部に記憶された複数の登録情報のうち当該ユーザが所属するテーマに関連付けられた登録情報を提供する機能と、
第１のテーマに関連付けられた登録情報を閲覧するユーザが、前記第１のテーマに加えて第２のテーマにも所属する場合、当該ユーザの操作に応じて、閲覧対象の登録情報を前記第２のテーマにも関連付ける機能と、
を実現するためのコンピュータプログラム。
【発明の詳細な説明】
【技術分野】
【０００１】
この発明は、データ処理技術に関し、特に情報処理装置、情報処理方法およびコンピュータプログラムに関する。
【背景技術】
【０００２】
現在、ネットワークを介して複数のユーザが情報を共有することができる様々なコミュニケーション手段が提供されている（例えば特許文献１参照）。
【先行技術文献】
【特許文献】
【０００３】
【特許文献１】特開２０１５−１５３２５７号公報
【発明の概要】
【発明が解決しようとする課題】
【０００４】
企業等の多くの組織で上記のようなコミュニケーション手段が構築されている中、一層効果的な情報共有を実現可能なコミュニケーション手段が求められている。
【０００５】
本願発明は上記課題に鑑みたもので、効果的な情報共有を実現可能なコミュニケーション手段を提供することを目的とする。
【課題を解決するための手段】
【０００６】
上記課題を解決するために、本発明のある態様の情報処理装置は、複数のユーザが所属し、情報共有の単位となるテーマについて、複数のテーマに関する情報を記憶するテーマ記憶部と、ユーザから登録された情報であって、複数のテーマのうち少なくとも１つのテーマに関連付けられた情報である登録情報を記憶する登録情報記憶部と、登録情報の閲覧を要求したユーザに対して、登録情報記憶部に記憶された複数の登録情報のうち当該ユーザが所属するテーマに関連付けられた登録情報を提供する情報提供部と、第１のテーマに関連付けられた登録情報を閲覧するユーザが、第１のテーマに加えて第２のテーマにも所属する場合、当該ユーザの操作に応じて、閲覧対象の登録情報を第２のテーマにも関連付ける更新部と、を備える。
【０００７】
本発明の別の態様は、情報処理方法である。この方法は、複数のユーザが所属し、情報共有の単位となるテーマについて、複数のテーマに関する情報を記憶するテーマ記憶部と、ユーザから登録された情報であって、複数のテーマのうち少なくとも１つのテーマに関連付けられた情報である登録情報を記憶する登録情報記憶部とを備えるコンピュータが、登録情報の閲覧を要求したユーザに対して、登録情報記憶部に記憶された複数の登録情報のうち当該ユーザが所属するテーマに関連付けられた登録情報を提供するステップと、第１のテーマに関連付けられた登録情報を閲覧するユーザが、第１のテーマに加えて第２のテーマにも所属する場合、当該ユーザの操作に応じて、閲覧対象の登録情報を第２のテーマにも関連付けるステップと、を実行する。
【０００８】
なお、以上の構成要素の任意の組合せ、本発明の表現を、システム、コンピュータプログラム、コンピュータプログラムを格納した記録媒体などの間で変換したものもまた、本発明の態様として有効である。
【発明の効果】
【０００９】
本発明によれば、効果的な情報共有を実現可能なコミュニケーション手段を提供することができる。
【図面の簡単な説明】
【００１０】
【図１】従来の情報共有方式を模式的に示す図である。
【図２】実施例の情報共有方式を模式的に示す図である。
【図３】実施例の情報共有方式を模式的に示す図である。
【図４】実施例の情報共有システムの構成を示す図である。
【図５】図４の情報管理装置の機能ブロックを示すブロック図である。
【図６】ユーザ装置の情報共有Ａｐｐにおける画面遷移を示す図である。
【図７】テーマ画面を模式的に示す図である。
【図８】ノート一覧画面を模式的に示す図である。
【図９】ノート詳細画面を模式的に示す図である。
【図１０】ノート作成画面を模式的に示す図である。
【発明を実施するための形態】
【００１１】
まず実施例の概要を説明する。図１は、従来の情報共有方式を模式的に示す。従来、メーリングリストやチャットツール等を用いた情報共有がなされてきた。図１では、テーマα（特定のメーリングリストやスレッド等）にユーザＡ、ユーザＢ、ユーザＣが所属（参加とも言える）し、テーマβにユーザＣとユーザＤが所属する。また、ユーザＡは、テーマαに関連付けて情報α−１を登録し、ユーザＢは、テーマαに関連付けて情報α−２を登録し、ユーザＤは、テーマβに関連付けて情報β−１を登録している。また、ユーザＣは、テーマαに関連付けて情報α−３を登録し、テーマβに関連付けて情報β−２を登録している。
【００１２】
情報α−１〜情報β−２のそれぞれは、関連付けられたテーマに所属する複数のユーザ間で共有される。通常、テーマαに関連付けられた情報はテーマαに所属するユーザのみが参照でき、テーマβに関連付けられた情報はテーマβに所属するユーザのみが参照できる。そのため、テーマαに関連付けられた情報の中にテーマβにおいて有益な情報が存在しても、テーマβのメンバ（例えばユーザＤ）は、テーマαに関連付けられたその情報を参照できなかった。このように、通常の情報共有方式では、テーマと情報との関係が１対多であり、また、各テーマのメンバ間に情報の壁が生じていた。
【００１３】
図２は、実施例の情報共有方式を模式的に示す。実施例の情報共有方式では、第１のテーマに関連付けられた情報を、簡単な操作で、第１のテーマとは異なる第２のテーマに関連付けることができる。例えば、テーマαとテーマβの両方に所属するユーザＣは、情報α−３がテーマβにも役立つと考えた場合に、簡単な操作で、情報α−３をテーマβにも関連付けることができる。これにより、テーマαに所属しないユーザＤにも情報α−３をさせることができる。また、情報α−３の開示先は、テーマαとテーマβのメンバに限られるため、情報の開示範囲を制限しつつ拡大することができる。
【００１４】
図３も、実施例の情報共有方式を模式的に示す。実施例の情報共有方式では、第１のテーマに所属するユーザは、第１のテーマとは異なる第２のテーマに所属する他のユーザを第１のテーマにも所属させることができる。例えば、テーマαに所属するユーザＣは、テーマβに所属するユーザＤをテーマαにも所属させるよう設定可能である。テーマαに新たに所属したユーザＤは、テーマαに過去登録された情報を含め、テーマαに関連付けられた全ての情報の閲覧が可能になる。また、ユーザＤは、テーマβに関連付けて登録した情報β−１がテーマαにも役立つと考えた場合、情報β−１をテーマαにも関連付けることができる。このように実施例の情報共有方式では、テーマと情報との関係が多対多となり、効果的な情報共有を実現できる。
【００１５】
以下の説明において「テーマ」は、複数のユーザが所属し、情報共有の単位（言い換えれば情報共有の範囲）となるものである。テーマは、例えば、企業におけるタスク、プロジェクトまたは解決すべき問題であってもよく、また、企業の組織または顧客を単位として設けられてもよい。また、テーマは、例えば、複数のユーザ間で共有される情報の主題、話題のタイトル、または情報を共有するユーザのグループを定めたものでもよい。また、以下の説明において、ユーザから登録された情報であって、複数のテーマのうち少なくとも１つのテーマに関連付けられた情報を「ノート」と呼ぶ。ノートは、上記の情報α−１〜情報β−２が該当し、登録情報とも言え、共有情報とも言える。
【００１６】
実施例の情報共有システムを詳細に説明する。図４は、実施例の情報共有システムの構成を示す。情報共有システム１０は、ある企業に構築された情報処理システムであり、その企業の従業員（以下「ユーザ」と呼ぶ。）間の情報共有を支援する。情報共有システム１０では、複数のユーザ装置１２と情報管理装置１４が通信網１６を介して接続される。通信網１６は、ＬＡＮ、ＷＡＮ、インターネット等を含んでもよい
【００１７】
複数のユーザ装置１２は、情報共有のためのクライアントアプリケーション（以下「情報共有Ａｐｐ」とも呼ぶ。）がインストールされた情報処理装置である。情報共有Ａｐｐは、ウェブブラウザでもよく、専用アプリケーションでもよい。複数のユーザ装置１２は、ユーザＡにより操作されるユーザ装置１２ａ、ユーザＢにより操作されるユーザ装置１２ｂ、ユーザＣにより操作されるユーザ装置１２ｃ、ユーザＤにより操作されるユーザ装置１２ｄを含む。各ユーザ装置１２は、ＰＣ、タブレット端末またはスマートフォンであってもよい。
【００１８】
情報管理装置１４は、情報共有のためのサーバ機能（言い換えれば情報共有サービス）を提供する情報処理装置である。図５は、図４の情報管理装置１４の機能ブロックを示すブロック図である。本明細書のブロック図で示す各ブロックは、ハードウェア的には、コンピュータのプロセッサ、ＣＰＵ、メモリをはじめとする素子や電子回路、機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００１９】
情報管理装置１４は、制御部２０、記憶部２２、通信部２４を備える。制御部２０は、情報共有サービスを提供するための各種データ処理を実行する。記憶部２２は、制御部２０により参照または更新されるデータを記憶する。通信部２４は、所定の通信プロトコルにしたがって外部装置と通信する。制御部２０は、通信部２４を介して、ユーザ装置１２とデータを送受信する。
【００２０】
記憶部２２は、ユーザ記憶部３０、テーマ記憶部３２、ノート記憶部３４、対応関係記憶部３６を含む。ユーザ記憶部３０は、情報共有システム１０を利用可能なユーザに関する情報（ユーザＡ〜ＤそれぞれのＩＤ等）を記憶する。ユーザ記憶部３０は、ユーザＡ〜Ｄそれぞれに対するログイン認証のための情報（パスワード等）をさらに記憶してもよい。
【００２１】
テーマ記憶部３２は、複数のテーマに関する情報を記憶する。実施例のテーマ記憶部３２は、複数のテーマのそれぞれについて、テーマのＩＤ、テーマのタイトル、テーマのゴール、テーマの概要および所属するユーザのＩＤ、テーマに関してなされたチャットのデータを記憶する。
【００２２】
ノート記憶部３４は、複数のノートに関する情報を記憶する。実施例のノート記憶部３４は、複数のノートのそれぞれについて、ノートのＩＤ、ノートのタイトル、ノートの所有者（言い換えれば作成者または登録者）、ノートの本文（言い換えれば内容）、ノートに関してなされたチャットのデータを記憶する。
【００２３】
対応関係記憶部３６は、テーマとノートとの対応関係を記憶する。対応関係記憶部３６は、あるテーマのＩＤと、そのテーマに関連付けられたノートのＩＤとを対応付けて記憶する。例えば、図２に示す状況において、対応関係記憶部３６は、情報α−１のＩＤとテーマαのＩＤとを対応付け、情報β−２のＩＤとテーマβのＩＤとを対応付ける。また、情報α−３のＩＤを、テーマαのＩＤとテーマβのＩＤの両方に対応付ける。
【００２４】
制御部２０は、要求受付部４０、テーマ更新部４２、ノート更新部４４、画面生成部４６、画面提供部５６を含む。これら複数の機能ブロックの機能を実装したコンピュータプログラムが情報管理装置１４のストレージ（記憶部２２等）に格納されてもよい。情報管理装置１４のプロセッサは、そのコンピュータプログラムをメインメモリに読み出して実行することにより、制御部２０に含まれる複数の機能ブロックの機能を発揮してもよい。なお、ユーザ装置１２の情報共有Ａｐｐが専用ソフトウェアである場合等、実施例において情報管理装置１４が発揮する機能の一部が、情報共有Ａｐｐに実装されてもよい。
【００２５】
要求受付部４０は、情報共有Ａｐｐに対してユーザが入力した操作に基づく要求データをユーザ装置１２から受け付ける。
【００２６】
テーマ更新部４２は、要求受付部４０が受け付けた要求データに基づいて、テーマ記憶部３２のデータを更新する。例えば、テーマ更新部４２は、要求データが、特定のテーマのＩＤと、そのテーマに新たに所属させるユーザのＩＤとを指定する場合、要求データが指定するテーマの情報に、要求データが指定するユーザのＩＤを追加する。これにより、要求データが指定するテーマに、要求データが指定するユーザを新たに所属させる。
【００２７】
ノート更新部４４は、要求受付部４０が受け付けた要求データに基づいて、ノート記憶部３４のデータを更新する。また、ノート更新部４４は、第１のテーマに関連付けられたノートを閲覧するユーザが、第１のテーマに加えて第２のテーマにも所属する場合、当該ユーザの装置から送信された要求データに応じて、閲覧対象のノートを第２のテーマにも関連付ける。図２の例では、テーマαに関連付けられたノートα−３を閲覧するユーザＣが、テーマαに加えてテーマβにも所属する場合、ユーザ装置１２ｃから送信された要求データに応じて、ノートα−３をテーマβにも関連付けるよう対応関係記憶部３６の対応関係データを更新する。
【００２８】
画面生成部４６および画面提供部５６は、ユーザ装置１２の情報共有Ａｐｐの表示内容を制御する。画面生成部４６および画面提供部５６は、ノートの閲覧を要求したユーザに対して、ノート記憶部３４に記憶された複数のノートのうち当該ユーザが所属するテーマに関連付けられたノートを提供する情報提供部として機能する。
【００２９】
画面生成部４６は、要求データの送信元であるユーザ装置１２の情報共有Ａｐｐ画面に表示させるデータ（以下「画面データ」とも呼ぶ。）を生成する。画面提供部５６は、要求データの送信元であるユーザ装置１２に対して、画面生成部４６により生成された画面データを送信することにより、情報共有Ａｐｐの各種画面をユーザ装置１２に表示させる。
【００３０】
画面生成部４６は、作成画面生成部４８、テーマ画面生成部５０、ノート一覧画面生成部５２、ノート詳細画面生成部５４を含む。作成画面生成部４８は、後述のノート作成画面のデータを生成する。テーマ画面生成部５０は、後述のテーマ画面のデータを生成する。ノート一覧画面生成部５２は、後述のノート一覧画面のデータを生成する。ノート詳細画面生成部５４は、後述のノート詳細画面のデータを生成する。
【００３１】
以上の構成による情報共有システム１０の動作を説明する。
図６は、ユーザ装置１２の情報共有Ａｐｐにおける画面遷移を示す。情報共有Ａｐｐにおいてテーマアイコンが選択されると、ユーザが所属するテーマの一覧を提示するテーマ一覧画面６０が表示される。テーマ一覧画面６０においてユーザが所望のテーマを選択すると、ユーザ装置１２は、選択されたテーマを指定した閲覧要求を情報管理装置１４へ送信する。情報管理装置１４は、閲覧要求で指定されたテーマに関連付けられたノートの一覧を含むテーマ画面６２のデータをユーザ装置１２へ送信し、ユーザ装置１２にテーマ画面６２を表示させる。
【００３２】
図７は、テーマ画面６２を模式的に示す。テーマ画面６２は、テーマ属性７０、テーマノートリスト７２、テーマチャット７４を含む。情報管理装置１４のテーマ画面生成部５０は、閲覧要求で指定されたテーマの属性として、テーマ記憶部３２に記憶された当該テーマのタイトル、ゴール、概要を含むテーマ属性７０を設定する。また、テーマ画面生成部５０は、対応関係記憶部３６およびノート記憶部３４を参照して、閲覧要求で指定されたテーマに関連付けられた１つ以上のノートの概略情報を並べたテーマノートリスト７２を設定する。テーマノートリスト７２における各ノートの概略情報は、ノートのＩＤ、所有者、更新日時、タイトルを含む。
【００３３】
また、テーマ画面生成部５０は、閲覧要求で指定されたテーマについてなされたチャットのデータをテーマ記憶部３２から取得してテーマチャット７４に設定する。また、テーマ画面生成部５０は、閲覧要求で指定されたテーマに関連付けて新たなノートを作成するためのノート作成アイコン７６をテーマ画面６２に配置する。
【００３４】
図６に戻り、情報共有Ａｐｐにおいてノートアイコンが選択されると、ユーザ装置１２は、特定のテーマを指定しない閲覧要求であり、実施例では、ノート一覧画面の閲覧要求を情報管理装置１４へ送信する。情報管理装置１４は、その閲覧要求に応じて、ユーザが所属するいずれかのテーマに関連付けられたノートの一覧を提示するノート一覧画面６６をユーザ装置１２へ提供して表示させる。
【００３５】
具体的には、情報管理装置１４のノート一覧画面生成部５２は、テーマ記憶部３２を参照して、閲覧要求元のユーザのＩＤをもとに当該ユーザが所属するテーマを特定する。ノート一覧画面生成部５２は、対応関係記憶部３６を参照して、閲覧要求元のユーザが所属する１つ以上のテーマに関連付けられた１つ以上のノート（以下「ユーザノート」とも呼ぶ。）を特定する。ノート一覧画面生成部５２は、ノート記憶部３４を参照して、１つ以上のユーザノートの情報を並べたノート一覧画面６６のデータを生成する。
【００３６】
図８は、ノート一覧画面６６を模式的に示す。ノート一覧画面６６は、ユーザノートリスト９０を含む。情報管理装置１４のノート一覧画面生成部５２は、ノート記憶部３４を参照して、各ユーザノートの概略情報として、タイトル、所有者、作成日時、更新日時、関連付けられたテーマ名の組を並べたユーザノートリスト９０を設定する。また、ノート一覧画面生成部５２は、新たなノートを作成するためのノート作成ボタン９２をノート一覧画面６６に配置する。
【００３７】
図６に戻り、テーマ画面６２のテーマノートリスト７２において特定のノートが選択された場合、および、ノート一覧画面６６のユーザノートリスト９０において特定のノートが選択された場合、ユーザ装置１２は、選択されたノートを指定した閲覧要求を情報管理装置１４へ送信する。情報管理装置１４は、閲覧要求で指定されたノートの詳細情報を提示するノート詳細画面６４をユーザ装置１２へ提供して表示させる。
【００３８】
図９は、ノート詳細画面６４を模式的に示す。ノート詳細画面６４は、ノート属性８０、ノート本文８２、ノートチャット８４を含む。情報管理装置１４のノート詳細画面生成部５４は、ノート記憶部３４を参照して、閲覧要求で指定されたノートのタイトル、所有者、更新日時、関連付けられたテーマを示すノート属性８０を設定する。また、ノート詳細画面生成部５４は、ノート記憶部３４を参照して、閲覧要求で指定されたノートの本文をノート本文８２に設定し、また、当該ノートに関してなされたチャットのデータをノートチャット８４に設定する。
【００３９】
また、ノート詳細画面６４は、閲覧対象のノートのテーマを編集する操作を受け付け可能に構成される。具体的には、情報管理装置１４のノート詳細画面生成部５４は、ノート属性８０のテーマ表示エリア近傍に、当該ノートのテーマを編集するための画面要素（言い換えれば部品）であるテーマ編集アイコン８６を配置する。ノート詳細画面生成部５４は、テーマ編集アイコン８６が選択された場合、ユーザが所属する１つ以上のテーマが表示されるようノート詳細画面６４を構成する。ユーザがノートに関連付けるテーマを変更する（例えば別のテーマにさらに関連付ける）操作を入力した場合、ユーザ装置１２は、変更後のテーマを示すデータを情報管理装置１４へ送信する。情報管理装置１４のノート更新部４４は、閲覧対象のノートを変更後のテーマに関連付けるよう対応関係記憶部３６の対応関係を更新する。
【００４０】
図６に戻り、テーマ画面６２においてノート作成アイコン７６が選択された場合、および、ノート一覧画面６６においてノート作成ボタン９２が選択された場合、ユーザ装置１２は、ノート作成画面６８の提供を要求する要求データを情報管理装置１４へ送信する。情報管理装置１４の作成画面生成部４８は、その要求データに応じて、ノート作成画面６８のデータを生成し、画面提供部５６は、そのデータをユーザ装置１２へ提供して、ユーザ装置１２にノート作成画面６８を表示させる。
【００４１】
図１０は、ノート作成画面６８を模式的に示す。ノート作成画面６８は、所有者入力エリア１００、テーマ入力エリア１０２、本文入力エリア１０４、テーマ検索アイコン１０６、保存ボタン１０８を含む。ユーザは、所有者入力エリア１００に、所有者名を入力し、テーマ入力エリア１０２に、関連付けるテーマ名を入力し、本文入力エリア１０４に、ノートの本文を入力する。テーマ画面６２においてノート作成アイコン７６が選択された場合、作成画面生成部４８は、テーマ画面６２で表示対象であったテーマ名をテーマ入力エリア１０２に自動設定してもよい。また、作成画面生成部４８は、テーマ検索アイコン１０６が選択された場合に、ユーザが所属する１つ以上のテーマを表示させるようノート作成画面６８を構成する。
【００４２】
ノート作成画面６８において保存ボタン１０８が選択されると、ユーザ装置１２は、ノート作成画面６８に入力された所有者、テーマ、本文の情報を含むノートデータの登録要求を情報管理装置１４へ送信する。情報管理装置１４のノート更新部４４は、登録要求に含まれるノートデータをノート記憶部３４に格納する。また、ノート更新部４４は、そのノートデータを、登録要求が示すテーマに関連付けるよう対応関係記憶部３６を更新する。
【００４３】
実施例の情報管理装置１４によると、図２に示したように、情報管理装置１４に登録されたノート（すなわち共有情報）に関連付けるテーマを変更可能である。ユーザは、過去登録されたノートを、登録時には関連付けられなかったテーマに事後的に関連付けることができる。これにより、効果的な情報共有が実現可能になる。例えば、テーマαが顧客の「ＡＢＣ銀行」で、テーマβが顧客の「ＸＹＺ銀行」の場合、テーマαに関連付けられたノートの内容（ナレッジ等）がテーマβにも有益であることがあるが、このような場合に簡単な操作で、ノートの共有範囲（言い換えれば開示範囲）を拡大することができる。また、各テーマにノートをコピーして共有する場合、ノートのデータが分散し、分散したデータの一部が更新された場合、情報の不整合が生じることがある。実施例の情報管理装置１４では、関連付けられるテーマが拡大しても、ノートのデータは１つであるため、情報の不整合は生じない。
【００４４】
また、情報管理装置１４によると、ユーザがノートの内容を閲覧するルートとして、テーマ画面６２のテーマノートリスト７２から所望のノートを選択するルートと、ノート一覧画面６６のユーザノートリスト９０から所望のノートを選択するルートとがある。前者のようにテーマからノートを選択する場合、そのノートが他のテーマにも有益であることにユーザは気付きにくいことがある。後者のように、関連付けられたテーマにかかわらず、複数のノートをフラットに見るユーザインタフェースを設けることにより、あるテーマに関連付けられたノートが、他のテーマにも有益であることの気づきをユーザに与えやすくなる。
【００４５】
あるテーマに所属するユーザは、情報共有Ａｐｐの管理画面（不図示）に、そのテーマに所属しない他のユーザをそのテーマに所属させる操作（ここでは「ユーザ追加操作」と呼ぶ。）を入力可能である。ユーザ追加操作が入力されると、ユーザ装置１２は、テーマのＩＤと、そのテーマに新たに所属させるユーザのＩＤとを含むユーザ追加要求を情報管理装置１４へ送信する。情報管理装置１４のテーマ更新部４２は、ユーザ追加要求が示すテーマに、ユーザ追加要求が示すユーザを対応付けるようにテーマ記憶部３２を更新する。
【００４６】
図３に関連して説明したように、テーマαに所属するユーザＣ（ユーザＡ、ユーザＢも同様）は、テーマβに所属するがテーマαに所属しないユーザＤをテーマαに所属させることができる。テーマαに新たに所属したユーザＤがテーマαに関するテーマ画面６２を閲覧する際、情報管理装置１４のテーマ画面生成部５０は、テーマαに関連付けられた過去のノート（過去登録された１つ以上のノート）をテーマノートリスト７２に設定する。また、テーマ画面生成部５０は、テーマαに関連付けられた過去のチャットデータをテーマチャット７４に設定する。
【００４７】
同様に、テーマαに新たに所属したユーザＤがノート一覧画面６６を閲覧する際、情報管理装置１４のノート一覧画面生成部５２は、テーマβに関連付けられたノートに加えて、テーマαに関連付けられた過去のノート（過去登録された１つ以上のノート）をユーザノートリスト９０に設定する。このように、情報管理装置１４によると、ユーザがあるテーマに新たに所属した場合、そのテーマに関連付けられた過去のノートやチャットを当該ユーザに提供する。これにより、ユーザは、新たに所属したテーマの過去から現在までの共有情報を確認することができ、効果的な情報共有を実現できる。
【００４８】
以上、本発明を実施例をもとに説明した。この実施例は例示であり、実施例に記載の各構成要素や各処理プロセスの組合せにいろいろな変形例が可能なこと、またそうした変形例も本発明の範囲にあることは当業者に理解されるところである。
【００４９】
第１変形例を説明する。上記実施例では言及していないが、情報管理装置１４は、登録済のノートに関連づけられたテーマを変更可能なユーザを、そのノートの所有者（言い換えれば登録者）に制限してもよい。これにより、ノートの所有者の意図に反して、ノートの公開範囲が広がることを防止できる。
【００５０】
例えば、情報管理装置１４のノート詳細画面生成部５４は、ノートの閲覧要求元のユーザと、そのノートの所有者とを比較し、一致する場合、ノート詳細画面６４にテーマ編集アイコン８６を付加する一方、不一致であれば、テーマ編集アイコン８６を非表示としてもよい。また、情報管理装置１４のノート更新部４４は、ノートに関連付けるテーマの変更要求元のユーザと、そのノートの所有者とを比較し、一致する場合、当該ノートに関連付けるテーマを変更（追加等）する一方、不一致であれば、当該ノートに関連付けるテーマの変更を抑制してもよい。
【００５１】
第２変形例を説明する。第１変形例とは異なり、情報管理装置１４は、登録済のノートに関連づけられたテーマを変更可能なユーザを、そのノートの所有者（言い換えれば登録者）に制限せず、そのノートを閲覧可能なユーザであればテーマの変更を許可してもよい。これにより、情報共有を一層促進することができる。
【００５２】
例えば、情報管理装置１４のノート詳細画面生成部５４は、ノートの閲覧要求元のユーザと、そのノートの所有者とが一致するか否かに関わらず（不一致であっても）、ノート詳細画面６４にテーマ編集アイコン８６を付加してもよい。また、情報管理装置１４のノート更新部４４は、ノートに関連付けるテーマの変更要求元のユーザと、そのノートの所有者とが一致するか否かにかかわらず（不一致であっても）、当該ノートに関連付けるテーマを変更（追加等）してもよい。
【００５３】
第３変形例を説明する。情報管理装置１４は、あるノートに関連付けられたテーマが変更された場合、テーマが変更されたノートを他のノート（すなわちテーマが未変更のノート）とは異なる態様で表示させてもよい。例えば、テーマが変更されたノートを、ユーザに注目されやすいように目立つ態様や、強調した態様で表示させてもよい。テーマが変更されたノートは、共有する価値が高いと判断されたノートであるため、そのノートの注目度合いを高めることで効果的な情報共有を実現できる。
【００５４】
例えば、情報管理装置１４のノート更新部４４は、あるノートのテーマを変更した場合、テーマ変更を示す所定のフラグをそのノートデータに付加してもよい。情報管理装置１４のテーマ画面生成部５０は、テーマ画面６２のテーマノートリスト７２において、上記フラグが付加されたノートを、上記フラグが付加されていないノートより強調した態様（例えば赤色の文字や太文字、ハイライト表示等）で配置してもよい。同様に、情報管理装置１４のノート一覧画面生成部５２は、ノート一覧画面６６のユーザノートリスト９０において、上記フラグが付加されたノートを、上記フラグが付加されていないノートより強調した態様で配置してもよい。
【００５５】
上述した実施例および変形例の任意の組み合わせもまた本発明の実施の形態として有用である。組み合わせによって生じる新たな実施の形態は、組み合わされる実施例および変形例それぞれの効果をあわせもつ。また、請求項に記載の各構成要件が果たすべき機能は、実施例および変形例において示された各構成要素の単体もしくはそれらの連携によって実現されることも当業者には理解されるところである。
【符号の説明】
【００５６】
１０  情報共有システム、  １２  ユーザ装置、  １４  情報管理装置、  ３２  テーマ記憶部、  ３４  ノート記憶部、  ４２  テーマ更新部、  ４４  ノート更新部、  ４６  画面生成部、  ５６  画面提供部。
【要約】
【課題】効果的な情報共有を実現可能なコミュニケーション手段を提供する。
【解決手段】情報管理装置１４は、複数のユーザが所属し、情報共有の単位となるテーマについて、複数のテーマに関する情報を記憶する。情報管理装置１４は、ユーザから登録された情報であって、複数のテーマのうち少なくとも１つのテーマに関連付けられた情報である登録情報を記憶する。情報管理装置１４は、登録情報の閲覧を要求したユーザに対して、記憶された複数の登録情報のうち当該ユーザが所属するテーマに関連付けられた登録情報を提供する。情報管理装置１４は、第１のテーマに関連付けられた登録情報を閲覧するユーザが、第１のテーマに加えて第２のテーマにも所属する場合、当該ユーザの操作に応じて、閲覧対象の登録情報を第２のテーマにも関連付ける。
【選択図】図４【図１】
0006629481.tif 000002
【図２】
0006629481.tif 000003
【図３】
0006629481.tif 000004
【図４】
0006629481.tif 000005
【図５】
0006629481.tif 000006
【図６】
0006629481.tif 000007
【図７】
0006629481.tif 000008
【図８】
0006629481.tif 000009
【図９】
0006629481.tif 000010
【図１０】
0006629481.tif 000011